(57)【要約】【課題】液晶材料を注入する際、液晶材料中の異物を捕捉することができるとともに、捕捉した異物を逃がしにくい液晶装置、および該液晶装置を備えた電子機器を提供すること。【解決手段】液晶装置１において、シール材１０７の途切れ部分からなる液晶注入口１０７ａには、第１基板１０の内面および第２基板２０の内面のうちの少なくとも一方から突出して第１基板１０と第２基板２０との間隔を画像表示領域１ａにおける間隔より狭める突条部１５が設けられている。突条部１５は、液晶注入口１０７ａの長さ方向で並列する複数の第１突条部分１５１と、複数の第１突条部分１５１の延在方向の内側で第１突条部分１５１の延在方向と交差する方向に延在する第２突条部分１５２とを備えている。【選択図】図１
2013257446.tif 000002
【特許請求の範囲】
【請求項１】
第１基板と、該第１基板に対向配置された第２基板と、液晶注入口を有して前記第１基板と前記第２基板とを貼り合わせるシール材と、前記第１基板と前記第２基板との間で前記シール材により囲まれた領域内に保持された液晶層と、を有し、平面視で、前記シール材で囲まれた領域の内側に画像表示領域を備えた液晶装置であって、
前記液晶注入口には、前記第１基板の内面および前記第２基板の内面のうちの少なくとも一方から、前記液晶層の側に向けて突出して前記第１基板と前記第２基板との間隔を前記画像表示領域における当該間隔より狭める突条部が設けられ、
当該突条部は、前記液晶注入口の長さ方向で並列する複数の第１突条部分と、前記複数の第１突条部分の延在方向の内側で当該第１突条部分の延在方向と交差する方向に延在する第２突条部分と、を備えていることを特徴とする液晶装置。
【請求項２】
前記複数の第１突条部分において隣り合う第１突条部分同士の間隔は、前記画像表示領域における前記第１基板と前記第２基板との間隔より狭いことを特徴とする請求項１に記載の液晶装置。
【請求項３】
前記突条部は、前記第１基板と前記第２基板との間隔を前記画像表示領域における当該間隔の０．４倍から０．６倍にまで狭めていることを特徴とする請求項１または２に記載の液晶装置。
【請求項４】
前記突条部は、前記画像表示領域の端部と前記液晶注入口の内側端部との間に設けられていることを特徴とする請求項１乃至３の何れか一項に記載の液晶装置。
【請求項５】
前記第１突条部分と前記第２突条部分とは、同一の高さ寸法を有していることを特徴とする請求項１乃至４の何れか一項に記載の液晶装置。
【請求項６】
前記第２突条部分の高さ寸法は、前記第１突条部分の高さ寸法より大であることを特徴とする請求項１乃至５の何れか一項に記載の液晶装置。
【請求項７】
前記第２突条部分は、前記複数の第１突条部分の延在方向の内側端部と繋がっていることを特徴とする請求項１乃至６の何れか一項に記載の液晶装置。
【請求項８】
前記第２突条部分は、前記複数の第１突条部分の延在方向の内側端部から離間していることを特徴とする請求項１乃至６の何れか一項に記載の液晶装置。
【請求項９】
請求項１乃至８の何れか一項に記載の液晶装置を備えていることを特徴とする電子機器。
【発明の詳細な説明】
【技術分野】
【０００１】
本発明は、液晶材料を注入するための液晶注入口を備えた液晶装置、および該液晶装置を備えた電子機器に関するものである。
【背景技術】
【０００２】
液晶装置は、画素トランジスターおよび画素電極等が形成された素子基板がシール材によって対向基板と貼り合わされた液晶パネルを有しており、素子基板と対向基板との間でシール材により囲まれた領域に液晶層が保持されている。このため、液晶パネルの製造工程では、素子基板と対向基板とをシール材で貼り合わせて、液晶注入口を備えた空セルを形成した後、真空注入法により液晶注入口から空セル内に液晶材料を注入する。
【０００３】
かかる液晶材料の注入の際、ガラス屑等の異物が液晶パネルの内部に注入されると、表示欠陥の原因となる。そこで、液晶注入口の内側に、素子基板と対向基板との間隔を狭める突部を設け、突起によって異物を堰き止める構造が提案されている（特許文献１、２、３参照）。
【０００４】
ここで、特許文献１では、液晶注入口の長さ方向に延在する帯状の突部が提案されている。特許文献２，３では、液晶注入口の長さ方向に延在する複数の突条部を、突条部の延在方向に直交する方向で並列させた構成が提案されている。
【先行技術文献】
【特許文献】
【０００５】
【特許文献１】特開２０１０−１７５６０７号公報
【特許文献２】特開２００８−２４１７５２号公報
【特許文献３】特開２００８−２４２１５０号公報
【発明の概要】
【発明が解決しようとする課題】
【０００６】
特許文献１〜３に記載の構成のように、液晶注入口の長さ方向に延在する突部では、突部の液晶注入口側の側面で異物を捕捉する構造であるため、突部の側面に沿う方向に液晶材料が流れると、異物が突部による捕捉から逃れてシール材で囲まれた領域の内部に侵入するという問題点がある。
【０００７】
以上の問題点に鑑みて、本発明の課題は、液晶材料を注入する際、液晶材料中の異物を捕捉することができるとともに、捕捉した異物を逃がしにくい液晶装置、および該液晶装置を備えた電子機器を提供することにある。
【課題を解決するための手段】
【０００８】
上記課題を解決するために、本発明は、第１基板と、該第１基板に対向配置された第２基板と、液晶注入口を有して前記第１基板と前記第２基板とを貼り合わせるシール材と、前記第１基板と前記第２基板との間で前記シール材により囲まれた領域内に保持された液晶層と、を有し、平面視で、前記シール材で囲まれた領域の内側に画像表示領域を備えた液晶装置であって、前記液晶注入口には、前記第１基板の内面および前記第２基板の内面のうちの少なくとも一方から、前記液晶層の側に向けて突出して前記第１基板と前記第２基板との間隔を前記画像表示領域における当該間隔より狭める突条部が設けられ、当該突条部は、前記液晶注入口の長さ方向で並列する複数の第１突条部分と、前記複数の第１突条部分の延在方向の内側で当該第１突条部分の延在方向と交差する方向に延在する第２突条部分と、を備えていることを特徴とする。
【０００９】
本発明では、液晶注入口には、第１基板と第２基板との間隔を狭める突条部が設けられているため、液晶注入口から液晶材料を注入する際、異物は突条部で捕捉される。ここで、突条部は、液晶注入口の長さ方向で並列する複数の第１突条部分と、複数の第１突条部分の延在方向の内側で第１突条部分の延在方向と交差する方向に延在する第２突条部分とを備えているため、第１突条部分で捕捉された異物が、液晶材料の流れによって内側に移動した場合でも、異物は第２突条部分で捕捉される。また、第２突条部分で捕捉された異物が、液晶材料の流れによって第２突条部分に沿って移動しようとした場合でも、かかる移動は、第１突条部分によって阻止される。それ故、本発明によれば、液晶材料を注入する際、液晶材料中の異物を突条部によって捕捉することができるとともに、突条部によって捕捉した異物を逃がしにくい。
【００１０】
本発明において、前記複数の第１突条部分において隣り合う第１突条部分同士の間隔は、前記画像表示領域における前記第１基板と前記第２基板との間隔より狭いことが好ましい。かかる構成によれば、液晶材料を注入する際、異物は突条部で確実に捕捉される。
【００１１】
本発明において、前記突条部は、前記第１基板と前記第２基板との間隔を前記画像表示領域における当該間隔の０．４倍から０．６倍にまで狭めていることが好ましい。かかる構成によれば、液晶材料を注入する際、異物は突条部で確実に捕捉されるとともに、液晶材料の注入に大きな負荷を発生させない。
【００１２】
本発明において、前記突条部は、前記画像表示領域の端部と前記液晶注入口の内側端部との間に設けられていることが好ましい。かかる構成によれば、突条部が液晶注入口の内部にないので、液晶材料をスムーズに注入することができる。
【００１３】
本発明において、前記第１突条部分と前記第２突条部分とは、同一の高さ寸法を有している構成を採用することができる。かかる構成によれば、突条部の形成が容易である。
【００１４】
本発明において、前記第２突条部分の高さ寸法は、前記第１突条部分の高さ寸法より大であることが好ましい。かかる構成によれば、異物は第２突条部分で確実に捕捉される。
【００１５】
本発明において、前記第２突条部分は、前記複数の第１突条部分の延在方向の内側端部と繋がっている構成を採用することができる。
【００１６】
本発明において、前記第２突条部分は、前記複数の第１突条部分の延在方向の内側端部から離間している構成を採用してもよい。かかる構成によれば、第１突条部分と第２突条部分との間を液晶材料が流れるので、液晶材料をスムーズに注入することができる。
【００１７】
本発明に係る液晶装置は、投射型表示装置等の電子機器に用いられる。
【図面の簡単な説明】
【００１８】
【図１】本発明の実施の形態１に係る液晶装置に用いた液晶パネルの説明図である。
【図２】本発明の実施の形態１に係る液晶装置に形成された突条部の説明図である。
【図３】本発明の実施の形態１に係る液晶装置に形成された突条部の作用や効果を示す説明図である。
【図４】本発明の実施の形態２に係る液晶装置に形成された突条部の説明図である。
【図５】本発明の実施の形態３に係る液晶装置に形成された突条部の説明図である。
【図６】本発明の実施の形態４に係る液晶装置に形成された突条部の説明図である。
【図７】本発明を適用した液晶装置を用いた投射型表示装置の概略構成図である。
【発明を実施するための形態】
【００１９】
図面を参照して、本発明の実施の形態を説明する。
【００２０】
なお、以下の説明で参照する図においては、各層や各部材を図面上で認識可能な程度の大きさとするため、各層や各部材毎に縮尺を異ならしめてある。また、液晶装置の面内方向で互いに交差する方向をＸ方向およびＹ方向として説明する。
【００２１】
［実施の形態１］
（液晶装置の全体構成）
図１は、本発明の実施の形態１に係る液晶装置に用いた液晶パネルの説明図であり、図１（ａ）、（ｂ）は各々、液晶パネルを各構成要素と共に対向基板の側から見た平面図、およびそのＨ−Ｈ′断面図である。
【００２２】
図１（ａ）、（ｂ）に示すように、液晶装置１は、第１基板１０（素子基板）と第２基板２０（対向基板）とが所定の隙間を介してシール材１０７によって貼り合わされた液晶パネル３を有している。液晶パネル３において、シール材１０７は第２基板２０の外縁に沿うように枠状に設けられており、第１基板１０と第２基板２０との間においてシール材１０７により囲まれた領域内に液晶層５０が保持されている。シール材１０７は、光硬化性樹脂や熱硬化性樹脂等からなる接着剤であり、両基板間の距離を所定値とするためのグラスファイバー、あるいはガラスビーズ等のギャップ材が配合されている。シール材１０７は、途切れ部分からなる液晶注入口１０７ａを有しており、液晶注入口１０７ａは封止材１０６によって塞がれている。
【００２３】
本形態において、液晶注入口１０７ａには突条部１５が形成されており、かかる突条部１５の詳細な構成については、図２等を参照して後述する。
【００２４】
本形態において、第１基板１０および第２基板２０はいずれも四角形であり、第１基板１０は、Ｘ方向に延在するとともにＹ方向で互いに対向する２つの端部１０ａ、１０ｂと、Ｙ方向に延在するとともにＸ方向で互いに対向する２つの端部１０ｃ、１０ｄとを備えている。また、第２基板２０は、Ｘ方向に延在するとともにＹ方向で互いに対向する２つの端部２０ａ、２０ｂと、Ｙ方向に延在するとともにＸ方向で互いに対向する２つの端部２０ｃ、２０ｄとを備えている。液晶パネル３において、シール材１０７で囲まれた領域の略中央には、画像表示領域１ａが四角形の領域として設けられている。かかる形状に対応して、シール材１０７も略四角形に設けられ、シール材１０７の内周縁と画像表示領域１ａの外周縁との間には、略四角形の周辺領域１ｂが額縁状に設けられている。
【００２５】
第１基板１０は、基体として石英基板等の基板本体１１を有しており、第２基板２０と対向する内面には、画像表示領域１ａに画素トランジスター（図示せず）や画素電極９ａがマトリクス状に形成されている。また、第１基板１０の内面において、画素電極９ａの上層側には配向膜１６が形成されている。また、第１基板１０の内面において、周辺領域１ｂには、画素電極９ａと同時形成されたダミー画素電極９ｂが形成されている。
【００２６】
第１基板１０は、第２基板２０の端部２０ａから一方側（Ｙ方向）に張り出した張出領域１０５を備えており、かかる張出領域１０５には、第１基板１０の一方側の端部１０ａに沿って複数の端子１０２が形成されている。張出領域１０５では、端子１０２が配列されている領域に対して端部１０ａが位置する側とは反対側にデータ線駆動回路１０１が形成されている。また、第１基板１０には、Ｘ方向で対向する端部１０ｃ、１０ｄに沿って走査線駆動回路１０４が形成されている。なお、端子１０２には、フレキシブル配線基板（図示せず）が接続されており、第１基板１０には、フレキシブル配線基板を介して各種電位や各種信号が入力される。本形態では、シール材１０７において張出領域１０５が位置する側に液晶注入口１０７ａが設けられている。
【００２７】
第２基板２０は、基体として石英基板等の基板本体２９を有しており、第１基板１０と対向する内面には共通電極２１が形成されている。また、第２基板２０の内面には、共通電極２１の上層に配向膜２６が形成されている。共通電極２１は、第２基板２０の略全面あるいは複数の帯状電極として複数の画素に跨って形成されている。本形態において、共通電極２１は第２基板２０の全面に形成されている。また、第２基板２０の内面には、共通電極２１の下層側に遮光層１０８が形成されている。本形態において、遮光層１０８は、画像表示領域１ａの外周縁に沿って延在する額縁状に形成されており、見切りとして機能する。ここで、遮光層１０８の外周縁は、シール材１０７の内周縁との間に隙間を隔てた位置にあり、遮光層１０８とシール材１０７とは重なっていない。なお、第２基板２０において、遮光層１０８は、隣り合う画素電極９ａにより挟まれた領域と重なる位置等にブラックマトリクスとして形成されることがある。
【００２８】
このように構成した液晶パネル３において、第１基板１０には、シール材１０７より外側において第２基板２０の角部分と重なる位置に、第１基板１０と第２基板２０との間で電気的導通をとるための基板間導通用電極１０９が形成されている。かかる基板間導通用電極１０９には、導電粒子を含んだ基板間導通材１０９ａが配置されており、第２基板２０の共通電極２１は、基板間導通材１０９ａおよび基板間導通用電極１０９を介して、第１基板１０側に電気的に接続されている。
【００２９】
かかる構成の液晶装置１において、画素電極９ａおよび共通電極２１を透光性導電膜により形成すると、透過型の液晶装置を構成することができる。これに対して、共通電極２１を透光性導電膜により形成し、画素電極９ａを反射性電極として構成すると、反射型の液晶装置を構成することができる。液晶装置１は、モバイルコンピューター、携帯電話機等といった電子機器のカラー表示装置として用いることができ、この場合、第２基板２０には、カラーフィルター（図示せず）や保護膜が形成される。また、液晶装置１では、使用する液晶層５０の種類や、ノーマリホワイトモード／ノーマリブラックモードの別に応じて、偏光フィルム、位相差フィルム、偏光板等が液晶パネル３に対して所定の向きに配置される。さらに、液晶装置１は、後述する投射型表示装置（液晶プロジェクター）において、ＲＧＢ用のライトバルブとして用いることができる。この場合、ＲＧＢ用の各液晶装置１の各々には、ＲＧＢ色分解用のダイクロイックミラーを介して分解された各色の光が投射光として各々入射されることになるので、カラーフィルターは形成されない。
【００３０】
（異物捕捉用の突条部１５の構成）
図２は、本発明の実施の形態１に係る液晶装置１に形成された突条部１５の説明図であり、図２（ａ）、（ｂ）、（ｃ）、（ｄ）は、突条部１５の斜視図、突条部１５付近の平面図、突条部１５付近のＸ１−Ｘ１′断面図、および突条部１５付近のＹ１−Ｙ１′断面図である。なお、図２では、第１基板１０や第２基板２０の内面に形成された電極や配向膜の図示を省略してある。
【００３１】
図１（ａ）および図２に示すように、本形態の液晶装置１において、第１基板１０の内面には、液晶注入口１０７ａに、第１基板１０の内面および第２基板２０の内面のうちの少なくとも一方から突出して第１基板１０と第２基板２０との間隔を画像表示領域１ａにおける間隔より狭める突条部１５が設けられている。
【００３２】
本形態において、突条部１５は、液晶注入口１０７ａとなるシール材１０７の途切れ部分の内側に形成されている。また、突条部１５は、第１基板１０および第２基板２０のうち、第１基板１０の内面に形成されており、突条部１５が形成されている位置での第１基板１０の内面と第２基板２０の内面との間隔ｄ１は、画像表示領域１ａにおける第１基板１０の内面と第２基板２０の内面との間隔ｄ０の０．４倍から０．６倍である。なお、画像表示領域１ａにおける第１基板１０の内面と第２基板２０の内面との間隔ｄ０は、シール材１０７の厚さと略等しい。
【００３３】
本形態において、突条部１５は、液晶注入口１０７ａの長さ方向（シール材１０７が途切れている方向／液晶材料が流入・注入する方向Ｌと交差する方向／Ｘ方向）で並列する複数の第１突条部分１５１と、複数の第１突条部分１５１の延在方向（Ｙ方向）の内側で第１突条部分１５１の延在方向と交差する方向（Ｘ方向）に延在する第２突条部分１５２とを備えている。本形態において、第２突条部分１５２は、複数の第１突条部分１５１の延在方向の内側端部と繋がっており、複数の第１突条部分１５１と第２突条部分１５２とが一体に形成されている。また、複数の第１突条部分１５１は、第２突条部分１５２からシール材１０７の外側に向けて直角に突出した形状になっており、突条部１５は櫛形の平面形状を有している。
【００３４】
ここで、複数の第１突条部分１５１と第２突条部分１５２とは高さ寸法が同一である。複数の第１突条部分１５１はいずれも幅寸法が一定であり、第１突条部分１５１の幅寸法と第２突条部分１５２の幅寸法とは同等である。また、複数の第１突条部分１５１はピッチが一定である。このため、隣り合う第１突条部分１５１同士の間隔ｄ１０は一定である。また、隣り合う第１突条部分１５１同士の間隔ｄ１０は、１μｍ程度であり、画像表示領域１ａにおける第１基板１０の内面と第２基板２０の内面との間隔ｄ０より狭い。また、隣り合う第１突条部分１５１同士の間隔ｄ１０は、突条部１５が形成されている位置での第１基板１０の内面と第２基板２０の内面との間隔ｄ１よりも狭い。
【００３５】
かかる構成の突条部１５（第１突条部分１５１と第２突条部分１５２）は、第１基板１０に形成された１層乃至複数層の膜により形成することができる。例えば、第１基板１０の画像表示領域１ａには、各種導電膜や絶縁膜が形成されており、かかる膜の一部を厚く形成することにより、突条部１５を形成することができる。また、突条部１５は、シール材１０７に用いた樹脂材料を第１基板１０に描画や転写により設けることによって形成されることもある。さらに、突条部１５は、シール材１０７に用いた樹脂材料以外の樹脂材料を描画や転写によって形成してもよい。また、突条部１５を樹脂材料の描画や転写によって形成する際、樹脂中に粒子を分散させておいてもよく、このような場合、第１基板１０上で樹脂材料が流動すること等を防止することができる。
【００３６】
（液晶装置１の製造方法の概要）
図１に示す液晶装置１を製造するには、まず、第１基板１０に対して画素電極９ａ等の形成工程を行った後、斜方蒸着法、印刷法、スピンコート法等により配向膜１６を形成する配向膜形成工程を行う。配向膜１６がポリイミド膜からなる場合には、配向膜形成工程の後、配向膜に対するラビング工程を行う。一方、第２基板２０に対しては、共通電極２１等の形成工程を行った後、斜方蒸着法、印刷法、スピンコート法等により配向膜２６を形成する配向膜形成工程を行う。配向膜２６がポリイミド膜からなる場合には、配向膜形成工程の後、配向膜２６に対するラビング工程を行う。
【００３７】
次に、空セル形成工程では、第１基板１０と第２基板２０とをシール材１０７で貼り合わせて液晶注入口１０７ａを備えた液晶パネル３用の空セルを形成する。より具体的には、まず、第１基板１０に対してシール材１０７を塗布するシール印刷工程を行う。かかるシール材１０７の塗布は、ノズルからシール材を突出しながら、ノズルと第１基板１０とを相対移動させて、シール材１０７を矩形枠状に描画する。次に、シール材１０７によって第１基板１０と第２基板２０とを貼り合わせる貼り合わせ工程を行う。かかる貼り合わせ工程では、まず、重ね合わせ工程において、シール材１０７を間に挟んで第１基板１０と第２基板２０とを重ね合わせ、その後に、シール硬化工程においてシール材１０７を硬化させ、空セルを構成する。かかるシール硬化工程では、例えば、第２基板２０側からＵＶ光等を照射してシール材１０７を硬化させる。
【００３８】
次に、液晶封入工程では、液晶注入口１０７ａから空セル内に液晶材料を注入した後、液晶注入口１０７ａを封止材１０６で塞ぐ。かかる液晶封入工程では、まず、液晶注入工程において、真空注入法により、液晶注入口１０７ａから空セル内に液晶材料を注入した後、封止工程において、液晶注入口１０７ａに光硬化性樹脂からなる封止材１０６を塗布し、その後、封止材１０６を光硬化させて液晶注入口１０７ａを封止材１０６で塞ぐ。
【００３９】
本形態では、第１基板１０と第２基板２０との貼り合わせ工程を行う前に、第１基板１０に突条部１５を形成しておく。
【００４０】
また、上記工程を行う際、第１基板１０として大型基板を用いる一方、第２基板２０として単品サイズの基板を用いれば、第１基板１０と第２基板２０との貼り合わせ工程を行った時点で液晶注入口１０７ａが露出した状態にある。従って、第１基板１０と第２基板２０との貼り合わせ工程を行った後、液晶封入工程（液晶注入工程および封止工程）を行い、しかる後に、第１基板１０として用いた大型基板を切断し、単品サイズの液晶パネル３を得る。
【００４１】
これに対して、第１基板１０および第２基板２０のいずれについても大型基板を用いた場合、第１基板１０と第２基板２０との貼り合わせ工程を行った後、第２基板２０として用いた大型基板を切断して液晶注入口１０７ａを露出させ、その後、液晶封入工程（液晶注入工程および封止工程）を行う。しかる後に、第１基板１０として用いた大型基板を切断し、単品サイズの液晶パネル３を得る。また、第１基板１０として用いた大型基板を切断するとともに、第２基板２０として用いた大型基板を切断して、単品サイズの液晶パネル３を得ることもある。
【００４２】
（液晶注入工程における突条部１５の作用、効果）
図３は、本発明の実施の形態１に係る液晶装置１に形成された突条部１５の作用や効果を示す説明図である。なお、図３において、図３（ａ）、（ｂ）は、本発明の実施の形態１に係る液晶装置１に形成された突条部１５で異物を捕捉する様子を模式的に示す平面図、および断面図であり、図３（ｃ）、（ｄ）は、本発明の参考例に係る液晶装置１に形成された突条部で異物を捕捉する様子を模式的に示す平面図、および断面図である。
【００４３】
液晶パネル３を製造する際、液晶注入工程においては、図２および図３（ａ）、（ｂ）に矢印Ｌによって液晶材料が流入・注入される方向を示すように、液晶注入口１０７ａを介して液晶材料をシール材１０７で囲まれた領域内に注入する。その際、図３（ａ）、（ｂ）に示す異物Ｓが液晶注入口１０７ａを介してシール材１０７で囲まれた領域内に侵入すると、表示欠陥の原因となる。本形態では、液晶注入口１０７ａには、突条部１５が形成されており、異物Ｓは、突条部１５で堰き止められ、捕捉される。
【００４４】
ここで、突条部１５は、液晶注入口１０７ａの長さ方向で並列する複数の第１突条部分１５１と、複数の第１突条部分１５１の延在方向の内側で第１突条部分１５１の延在方向と交差する方向に延在する第２突条部分１５２とを備えている。このため、丸Ｓ１で示すように、第１突条部分１５１の間に異物Ｓが挟まり、捕捉される。また、液晶材料の流れ（矢印Ｌ）によって、異物Ｓが内側に移動した場合でも、丸Ｓ２で示すように、異物Ｓは第２突条部分１５２で堰き止められ、捕捉される。また、第２突条部分１５２で捕捉された異物が、液晶材料の流れによって第２突条部分１５２に沿って移動しようとした場合でも、かかる移動は、第１突条部分１５１によって阻止される。
【００４５】
これに対して、図３（ｃ）、（ｄ）に示す比較例のように、第１突条部分１５１のみを設けた場合、丸Ｓ１１で示すように、第１突条部分１５１の間に異物Ｓが挟まり、捕捉されたとしても、液晶材料の流れ（矢印Ｌ）によって、異物Ｓが内側に移動した場合でも、丸１２で示すように、異物Ｓは第１突条部分１５１を抜けてしまい、異物Ｓを逃がしてしまう。
【００４６】
それ故、図３（ａ）、（ｂ）等を参照して説明した突条部１５によれば、図３（ｃ）、（ｄ）に示す形態に比して、捕捉した異物Ｓを逃がしにくいという効果を奏する。また、突条部１５が形成されている位置での第１基板１０の内面と第２基板２０の内面との間隔ｄ１は、画像表示領域１ａにおける第１基板１０の内面と第２基板２０の内面との間隔ｄ０の０．４倍から０．６倍である。このため、突条部１５は、異物を確実に捕捉することができるとともに、液晶材料の注入の際、大きな負荷を発生させない。また、隣り合う第１突条部分１５１同士の間隔ｄ１０は、１μｍ程度であり、画像表示領域１ａにおける第１基板１０の内面と第２基板２０の内面との間隔ｄ０より狭い。このため、突条部１５は、異物を確実に捕捉することができる。
【００４７】
［実施の形態２］
図４は、本発明の実施の形態２に係る液晶装置１に形成された突条部１５の説明図であり、図４（ａ）、（ｂ）、（ｃ）、（ｄ）は、突条部１５の斜視図、突条部１５付近の平面図、突条部１５付近のＸ１−Ｘ１′断面図、および突条部１５付近のＹ１−Ｙ１′断面図である。なお、図４では、第１基板１０や第２基板２０の内面に形成された電極や配向膜の図示を省略してある。また、本形態の基本的な構成は、実施の形態１と同様であるため、共通する部分には同一の符号を付して、それらの説明を省略する。
【００４８】
図４に示すように、本形態の液晶装置１においても、第１基板１０の内面には突条部１５が設けられており、突条部１５は、液晶注入口１０７ａの長さ方向（シール材１０７が途切れている方向／Ｘ方向）で並列する複数の第１突条部分１５１と、複数の第１突条部分１５１の延在方向（Ｙ方向）の内側で第１突条部分１５１の延在方向と交差する方向（Ｘ方向）に延在する第２突条部分１５２とを備えている。
【００４９】
本形態では、実施の形態１と違って、第２突条部分１５２は、第１突条部分１５１よりも高く、第２突条部分１５２が形成されている位置での第１基板１０の内面と第２基板２０の内面との間隔ｄ１は、画像表示領域１ａにおける第１基板１０の内面と第２基板２０の内面との間隔ｄ０の０．４倍から０．６倍である。その他の構成は、実施の形態１と同様であるため、実施の形態１と同様な効果を奏する。
【００５０】
また、本形態では、第２突条部分１５２の高さ寸法が第１突条部分１５１の高さ寸法より大であるため、液晶注入口１０７ａから液晶材料を注入した際、第２突条部分１５２で異物を確実に捕捉することができるとともに、第２突条部分１５２は、異物をより確実に逃がさないという効果を奏する。
【００５１】
［実施の形態３］
図５は、本発明の実施の形態３に係る液晶装置１に形成された突条部１５の説明図であり、図５（ａ）、（ｂ）は、突条部１５の斜視図、および突条部１５付近の平面図である。なお、本形態の基本的な構成は、実施の形態１と同様であるため、共通する部分には同一の符号を付して、それらの説明を省略する。
【００５２】
図５に示すように、本形態の液晶装置１においても、第１基板１０の内面には突条部１５が設けられており、突条部１５は、液晶注入口１０７ａの長さ方向（シール材１０７が途切れている方向／Ｘ方向）で並列する複数の第１突条部分１５１と、複数の第１突条部分１５１の延在方向（Ｙ方向）の内側で第１突条部分１５１の延在方向と交差する方向（Ｘ方向）に延在する第２突条部分１５２とを備えている。
【００５３】
本形態では、実施の形態１と違って、複数の第１突条部分１５１と第２突条部分１５２とは隙間を介して離間している。ここで、第１突条部分１５１と第２突条部分１５２との離間距離ｄ４は、隣り合う第１突条部分１５１同士の間隔ｄ１０より狭い。その他の構成は、実施の形態１と同様であるため、実施の形態１と同様な効果を奏する。
【００５４】
また、本形態では、第１突条部分１５１と第２突条部分１５２とが離間しているため、第１突条部分１５１の間を流動する液晶材料が、シール材１０７で囲まれた領域内に流入しやすいという利点がある。特に、誘電率異方性が負の液晶材料の場合、粘度が高い傾向にあるが、かかる液晶材料であっても、本形態によれば、スムーズに注入することができる。かかる構成は、実施の形態２に適用してもよい。また、複数の第１突条部分１５１のうち、液晶注入口１０７ａの長さ方向の両端に位置する第１突条部分１５１と第２突条部分１５２とが繋がっている一方、他の第１突条部分１５１については、第２突条部分１５２とは隙間を介して離間している構造を採用してもよい。
【００５５】
［実施の形態４］
図６は、本発明の実施の形態４に係る液晶装置１に形成された突条部１５の説明図であり、図６（ａ）、（ｂ）は、本発明の実施の形態４の第１例に係る液晶装置１における突条部１５とシール材１０７との平面的な位置関係を示す説明図、および本発明の実施の形態４の第２例に係る液晶装置１における突条部１５とシール材１０７との平面的な位置関係を示す説明図である。
【００５６】
図６に示すように、本形態の液晶装置１においても、第１基板１０の内面には突条部１５が設けられており、突条部１５は、液晶注入口１０７ａの長さ方向（シール材１０７が途切れている方向／Ｘ方向）で並列する複数の第１突条部分１５１と、複数の第１突条部分１５１の延在方向（Ｙ方向）の内側で第１突条部分１５１の延在方向と交差する方向（Ｘ方向）に延在する第２突条部分１５２とを備えている。このため、実施の形態１と同様な効果を奏する。
【００５７】
本形態では、実施の形態１と違って、突条部１５がシール材１０７よりも内側に配置されており、液晶注入口１０７ａ（シール材１０７の途切れ部分）の内側には形成されていない。すなわち、突条部１５は、図１に示す画像表示領域１ａの端部と液晶注入口１０７ａの内側端部１０７ｂ（シール材１０７の内縁の延長線）との間に設けられている。このため、液晶材料は、液晶注入口１０７ａをスムーズに通過する。従って、誘電率異方性が負の液晶材料等、粘度が高い液晶材料を注入する場合に効果的である。但し、突条部１５は、図１に示す遮光層１０８と重なる領域や、周辺領域１ｂと重なる領域に形成されており、画像表示領域１ａより外側に形成されている。従って、突条部１５が画像の表示を妨げることはない。
【００５８】
ここで、図６（ａ）に示す形態では、突条部１５とシール材１０７との間に形成されている隙間ｄ６は、隣り合う第１突条部分１５１同士の間隔ｄ１０より狭い。
【００５９】
これに対して、図６（ｂ）に示す形態では、突条部１５とシール材１０７との間に形成されている隙間は、隣り合う第１突条部分１５１同士の間隔ｄ１０より広い。かかる構成でも、矢印Ｌで示すように、液晶注入口１０７ａを通過した液晶材料は、突条部１５に向かうので、突条部１５によって、異物を捕捉することができる。また、突条部１５とシール材１０７との間に、比較的広い隙間が空いているので、図６（ｂ）に示す構成は、図６（ａ）に示す構成に比して、液晶材料が、シール材１０７で囲まれた領域内に流入しやすいという利点がある。なお、図６（ａ）、（ｂ）に示す構成は、実施の形態２、３に適用してもよい。
【００６０】
［他の実施の形態］
上記実施の形態では、突条部１５を第１基板１０に形成したが、第２基板２０に突条部１５を形成してもよい。この場合、突条部１５（第１突条部分１５１と第２突条部分１５２）は、例えば、第２基板２０に形成された１層乃至複数相の膜からなる。すなわち、第２基板２０には、導電膜や絶縁膜が形成されており、かかる膜の一部を厚く形成することにより、突条部１５を形成することができる。また、突条部１５は、シール材１０７に用いた樹脂材料を第２基板２０に描画や転写により設けることによって形成されることもある。さらに、突条部１５は、シール材１０７に用いた樹脂材料以外の樹脂材料を描画や転写によって形成してもよい。また、突条部１５を樹脂材料の描画や転写によって形成する際、樹脂中に粒子を分散させておいてもよく、このような場合、第２基板２０上で樹脂材料が流動すること等を防止することができる。
【００６１】
また、突条部１５を第１基板１０および第２基板２０の双方に形成し、第１基板１０および第２基板２０の各々に形成した突条部１５を合わせて、図１〜図６を参照して説明した突条部１５として機能させてもよい。この場合、第１基板１０に形成する突条部１５の高さ寸法、および第２基板２０に形成する突条部１５の高さ寸法を、図１〜図６を参照して説明した構成より低くする。
【００６２】
また、突条部１５の一部を第１基板１０に形成し、他の部分を第２基板２０に形成してもよい。例えば、第１突条部分１５１および第２突条部分１５２の一方を第１基板１０に形成し、他方を第２基板２０に形成してもよい。
【００６３】
上記実施の形態では、液晶装置１として透過型の液晶装置１を例示したが、反射型の液晶装置１に本発明を適用してもよい。
【００６４】
［電子機器への搭載例］
上述した実施形態に係る液晶装置１００を備えた電子機器について説明する。図７は、本発明を適用した液晶装置１００を用いた投射型表示装置の概略構成図であり、図７（ａ）、（ｂ）は各々、透過型の液晶装置１００を用いた投射型表示装置の説明図、および反射型の液晶装置１００を用いた投射型表示装置の説明図である。
【００６５】
（投射型表示装置の第１例）
図７（ａ）に示す投射型表示装置１１０は、観察者側に設けられたスクリーン１１１に光を照射し、このスクリーン１１１で反射した光を観察する、いわゆる投影型の投射型表示装置である。投射型表示装置１１０は、光源１１２を備えた光源部１３０と、ダイクロイックミラー１１３、１１４と、液晶ライトバルブ１１５〜１１７（液晶装置１００）と、投射光学系１１８と、クロスダイクロイックプリズム１１９と、リレー系１２０とを備えている。
【００６６】
光源１１２は、赤色光、緑色光及び青色光を含む光を供給する超高圧水銀ランプで構成されている。ダイクロイックミラー１１３は、光源１１２からの赤色光を透過させると共に緑色光及び青色光を反射する構成となっている。また、ダイクロイックミラー１１４は、ダイクロイックミラー１１３で反射された緑色光及び青色光のうち青色光を透過させると共に緑色光を反射する構成となっている。このように、ダイクロイックミラー１１３、１１４は、光源１１２から出射した光を赤色光と緑色光と青色光とに分離する色分離光学系を構成する。
【００６７】
ここで、ダイクロイックミラー１１３と光源１１２との間には、インテグレーター１２１及び偏光変換素子１２２が光源１１２から順に配置されている。インテグレーター１２１は、光源１１２から照射された光の照度分布を均一化する構成となっている。また、偏光変換素子１２２は、光源１１２からの光を例えばｓ偏光のような特定の振動方向を有する偏光にする構成となっている。
【００６８】
液晶ライトバルブ１１５は、ダイクロイックミラー１１３を透過して反射ミラー１２３で反射した赤色光を画像信号に応じて変調する透過型の液晶装置１００である。液晶ライトバルブ１１５は、λ／２位相差板１１５ａ、第１偏光板１１５ｂ、液晶パネル１１５ｃ及び第２偏光板１１５ｄを備えている。ここで、液晶ライトバルブ１１５に入射する赤色光は、ダイクロイックミラー１１３を透過しても光の偏光は変化しないことから、ｓ偏光のままである。
【００６９】
λ／２位相差板１１５ａは、液晶ライトバルブ１１５に入射したｓ偏光をｐ偏光に変換する光学素子である。また、第１偏光板１１５ｂは、ｓ偏光を遮断してｐ偏光を透過させる偏光板である。そして、液晶パネル１１５ｃは、ｐ偏光を画像信号に応じた変調によってｓ偏光（中間調であれば円偏光又は楕円偏光）に変換する構成となっている。さらに、第２偏光板１１５ｄは、ｐ偏光を遮断してｓ偏光を透過させる偏光板である。したがって、液晶ライトバルブ１１５は、画像信号に応じて赤色光を変調し、変調した赤色光をクロスダイクロイックプリズム１１９に向けて射出する構成となっている。
【００７０】
なお、λ／２位相差板１１５ａ及び第１偏光板１１５ｂは、偏光を変換させない透光性のガラス板１１５ｅに接した状態で配置されており、λ／２位相差板１１５ａ及び第１偏光板１１５ｂが発熱によって歪むのを回避することができる。
【００７１】
液晶ライトバルブ１１６は、ダイクロイックミラー１１３で反射した後にダイクロイックミラー１１４で反射した緑色光を画像信号に応じて変調する透過型の液晶装置１００である。そして、液晶ライトバルブ１１６は、液晶ライトバルブ１１５と同様に、第１偏光板１１６ｂ、液晶パネル１１６ｃ及び第２偏光板１１６ｄを備えている。液晶ライトバルブ１１６に入射する緑色光は、ダイクロイックミラー１１３、１１４で反射されて入射するｓ偏光である。第１偏光板１１６ｂは、ｐ偏光を遮断してｓ偏光を透過させる偏光板である。また、液晶パネル１１６ｃは、ｓ偏光を画像信号に応じた変調によってｐ偏光（中間調であれば円偏光又は楕円偏光）に変換する構成となっている。そして、第２偏光板１１６ｄは、ｓ偏光を遮断してｐ偏光を透過させる偏光板である。したがって、液晶ライトバルブ１１６は、画像信号に応じて緑色光を変調し、変調した緑色光をクロスダイクロイックプリズム１１９に向けて射出する構成となっている。
【００７２】
液晶ライトバルブ１１７は、ダイクロイックミラー１１３で反射し、ダイクロイックミラー１１４を透過した後でリレー系１２０を経た青色光を画像信号に応じて変調する透過型の液晶装置１００である。そして、液晶ライトバルブ１１７は、液晶ライトバルブ１１５、１１６と同様に、λ／２位相差板１１７ａ、第１偏光板１１７ｂ、液晶パネル１１７ｃ及び第２偏光板１１７ｄを備えている。ここで、液晶ライトバルブ１１７に入射する青色光は、ダイクロイックミラー１１３で反射してダイクロイックミラー１１４を透過した後にリレー系１２０の後述する２つの反射ミラー１２５ａ、１２５ｂで反射することから、ｓ偏光となっている。
【００７３】
λ／２位相差板１１７ａは、液晶ライトバルブ１１７に入射したｓ偏光をｐ偏光に変換する光学素子である。また、第１偏光板１１７ｂは、ｓ偏光を遮断してｐ偏光を透過させる偏光板である。そして、液晶パネル１１７ｃは、ｐ偏光を画像信号に応じた変調によってｓ偏光（中間調であれば円偏光又は楕円偏光）に変換する構成となっている。さらに、第２偏光板１１７ｄは、ｐ偏光を遮断してｓ偏光を透過させる偏光板である。したがって、液晶ライトバルブ１１７は、画像信号に応じて青色光を変調し、変調した青色光をクロスダイクロイックプリズム１１９に向けて射出する構成となっている。なお、λ／２位相差板１１７ａ及び第１偏光板１１７ｂは、ガラス板１１７ｅに接した状態で配置されている。
【００７４】
リレー系１２０は、リレーレンズ１２４ａ、１２４ｂと反射ミラー１２５ａ、１２５ｂとを備えている。リレーレンズ１２４ａ、１２４ｂは、青色光の光路が長いことによる光損失を防止するために設けられている。ここで、リレーレンズ１２４ａは、ダイクロイックミラー１１４と反射ミラー１２５ａとの間に配置されている。また、リレーレンズ１２４ｂは、反射ミラー１２５ａ、１２５ｂの間に配置されている。反射ミラー１２５ａは、ダイクロイックミラー１１４を透過してリレーレンズ１２４ａから出射した青色光をリレーレンズ１２４ｂに向けて反射するように配置されている。また、反射ミラー１２５ｂは、リレーレンズ１２４ｂから出射した青色光を液晶ライトバルブ１１７に向けて反射するように配置されている。
【００７５】
クロスダイクロイックプリズム１１９は、２つのダイクロイック膜１１９ａ、１１９ｂをＸ字型に直交配置した色合成光学系である。ダイクロイック膜１１９ａは青色光を反射して緑色光を透過する膜であり、ダイクロイック膜１１９ｂは赤色光を反射して緑色光を透過する膜である。したがって、クロスダイクロイックプリズム１１９は、液晶ライトバルブ１１５〜１１７のそれぞれで変調された赤色光と緑色光と青色光とを合成し、投射光学系１１８に向けて射出するように構成されている。
【００７６】
なお、液晶ライトバルブ１１５、１１７からクロスダイクロイックプリズム１１９に入射する光はｓ偏光であり、液晶ライトバルブ１１６からクロスダイクロイックプリズム１１９に入射する光はｐ偏光である。このようにクロスダイクロイックプリズム１１９に入射する光を異なる種類の偏光としていることで、クロスダイクロイックプリズム１１９において各液晶ライトバルブ１１５〜１１７から入射する光を有効に合成できる。ここで、一般に、ダイクロイック膜１１９ａ、１１９ｂはｓ偏光の反射特性に優れている。このため、ダイクロイック膜１１９ａ、１１９ｂで反射される赤色光及び青色光をｓ偏光とし、ダイクロイック膜１１９ａ、１１９ｂを透過する緑色光をｐ偏光としている。投射光学系１１８は、投影レンズ（図示略）を有しており、クロスダイクロイックプリズム１１９で合成された光をスクリーン１１１に投射するように構成されている。
【００７７】
（投射型表示装置の第２例）
図７（ｂ）に示す投射型表示装置１０００は、光源光を発生する光源部１０２１と、光源部１０２１から出射された光源光を赤、緑、青の３色に分離する色分離導光光学系１０２３と、色分離導光光学系１０２３から出射された各色の光源光によって照明される光変調部１０２５とを有している。また、投射型表示装置１０００は、光変調部１０２５から出射された各色の像光を合成するクロスダイクロイックプリズム１０２７（合成光学系）と、クロスダイクロイックプリズム１０２７を経た像光をスクリーン（不図示）に投射するための投射光学系である投射光学系１０２９とを備えている。
【００７８】
かかる投射型表示装置１０００において、光源部１０２１は、光源１０２１ａと、一対のフライアイ光学系１０２１ｄ、１０２１ｅと、偏光変換部材１０２１ｇと、重畳レンズ１０２１ｉとを備えている。本形態においては、光源部１０２１は、放物面からなるリフレクタ１０２１ｆを備えており、平行光を出射する。フライアイ光学系１０２１ｄ、１０２１ｅは、システム光軸と直交する面内にマトリックス状に配置された複数の要素レンズからなり、これらの要素レンズによって光源光を分割して個別に集光・発散させる。偏光変換部材１０２１ｇは、フライアイ光学系１０２１ｅから出射した光源光を、例えば図面に平行なｐ偏光成分のみに変換して光路下流側光学系に供給する。重畳レンズ１０２１ｉは、偏光変換部材１０２１ｇを経た光源光を全体として適宜収束させることにより、光変調部１０２５に設けた複数の液晶装置１００を各々均一に重畳照明可能とする。
【００７９】
色分離導光光学系１０２３は、クロスダイクロイックミラー１０２３ａと、ダイクロイックミラー１０２３ｂと、反射ミラー１０２３ｊ、１０２３ｋとを備える。色分離導光光学系１０２３において、光源部１０２１からの略白色の光源光は、クロスダイクロイックミラー１０２３ａに入射する。クロスダイクロイックミラー１０２３ａを構成する一方の第１ダイクロイックミラー１０３１ａで反射された赤色（Ｒ）の光は、反射ミラー１０２３ｊで反射されダイクロイックミラー１０２３ｂを透過して、入射側偏光板１０３７ｒ、ｐ偏光を透過させ、ｓ偏光を反射するワイヤーグリッド偏光板１０３２ｒ、および光学補償板１０３９ｒを介して、ｐ偏光のまま、赤色（Ｒ）用の液晶装置１００に入射する。
【００８０】
また、第１ダイクロイックミラー１０３１ａで反射された緑色（Ｇ）の光は、反射ミラー１０２３ｊで反射され、その後、ダイクロイックミラー１０２３ｂでも反射されて、入射側偏光板１０３７ｇ、ｐ偏光を透過させ、ｓ偏光を反射するワイヤーグリッド偏光板１０３２ｇ、および光学補償板１０３９ｇを介して、ｐ偏光のまま、緑色（Ｇ）用の液晶装置１００に入射する。
【００８１】
これに対して、クロスダイクロイックミラー１０２３ａを構成する他方の第２ダイクロイックミラー１０３１ｂで反射された青色（Ｂ）の光は、反射ミラー１０２３ｋで反射されて、入射側偏光板１０３７ｂ、ｐ偏光を透過させ、ｓ偏光を反射するワイヤーグリッド偏光板１０３２ｂ、および光学補償板１０３９ｂを介して、ｐ偏光のまま、青色（Ｂ）用の液晶装置１００に入射する。
【００８２】
なお、光学補償板１０３９ｒ、１０３９ｇ、１０３９ｂは、液晶装置１００への入射光および出射光の偏光状態を調整することで、液晶層の特性を光学的に補償している。
【００８３】
このように構成した投射型表示装置１０００において、光学補償板１０３９ｒ、１０３９ｇ、１０３９ｂを経て入射した３色の光は各々、各液晶装置１００において変調される。その際、液晶装置１００から出射された変調光のうち、ｓ偏光の成分光は、ワイヤーグリッド偏光板１０３２ｒ、１０３２ｇ、１０３２ｂで反射し、出射側偏光板１０３８ｒ、１０３８ｇ、１０３８ｂを介してクロスダイクロイックプリズム１０２７に入射する。クロスダイクロイックプリズム１０２７には、Ｘ字状に交差する第１誘電体多層膜１０２７ａおよび第２誘電体多層膜１０２７ｂが形成されており、一方の第１誘電体多層膜１０２７ａはＲ光を反射し、他方の第２誘電体多層膜１０２７ｂはＢ光を反射する。従って、３色の光は、クロスダイクロイックプリズム１０２７において合成され、投射光学系１０２９に出射される。そして、投射光学系１０２９は、クロスダイクロイックプリズム１０２７で合成されたカラーの像光を、所望の倍率でスクリーン（図示せず。）投射する。
【００８４】
（他の投射型表示装置）
なお、投射型表示装置については、光源部として、各色の光を出射するＬＥＤ光源等を用い、かかるＬＥＤ光源から出射された色光を各々、別の液晶装置に供給するように構成してもよい。
【００８５】
（他の電子機器）
本発明を適用した液晶装置１００については、上記の電子機器の他にも、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【符号の説明】
【００８６】
１・・液晶装置、１ａ・・画像表示領域、３・・液晶パネル、９ａ・・画素電極、１０・・第１基板、１５・・突条部、２０・・第２基板、２１・・共通電極、５０・・液晶層、１０６・・封止材、１０７・・シール材、１０７ａ・・液晶注入口、１０７ｂ・・液晶注入口の内側端部、１５１・・第１突条部分、１５２・・第２突条部分、Ｓ・・異物
【図１】
2013257446.tif 000003
【図７】
2013257446.tif 000004
【図２】
2013257446.tif 000005
【図３】
2013257446.tif 000006
【図４】
2013257446.tif 000007
【図５】
2013257446.tif 000008
【図６】
2013257446.tif 000009